(57)【要約】【課題】  分岐構成の設定を自由に行うことができ、かつ分岐に伴う損失を任意に設定することができる損失可変のソケット型光伝送ユニットを実現する。【解決手段】  入力する光信号を１対ｍ（ｍは２以上の整数）に分岐するｍ分岐モジュールを備えたｍ分岐モジュールソケットと、入力する光信号を１対１に出力するストレートモジュールを備えたストレートモジュールソケットと、入力する光信号を終端する無反射終端モジュールを備えた無反射終端モジュールソケットとを有し、各モジュールソケットを所定の組み合わせで結合し、１つの入力端に対して所定の損失比に応じた２以上の出力端を構成する。【選択図】        図１
2006235318.tif 000002
【特許請求の範囲】
【請求項１】
入力する光信号を１対ｍ（ｍは２以上の整数）に分岐するｍ分岐モジュールを備えたｍ分岐モジュールソケットと、
入力する光信号を１対１に出力するストレートモジュールを備えたストレートモジュールソケットと、
入力する光信号を終端する無反射終端モジュールを備えた無反射終端モジュールソケットとを有し、
前記各モジュールソケットを所定の組み合わせで結合し、１つの入力端に対して所定の損失比に応じた２以上の出力端を構成する
ことを特徴とする損失可変のソケット型光伝送ユニット。
【請求項２】
請求項１に記載の損失可変のソケット型光伝送ユニットにおいて、
前記各モジュールソケットの組み合わせで生じた空隙を埋めるダミーソケットを備えたことを特徴とする損失可変のソケット型光伝送ユニット。
【請求項３】
請求項１に記載の損失可変のソケット型光伝送ユニットにおいて、
前記各モジュールソケット間の接続部を汎用の光コネクタで結合した構成であることを特徴とする損失可変のソケット型光伝送ユニット。
【請求項４】
請求項１に記載の損失可変のソケット型光伝送ユニットにおいて、
前記各モジュールソケットは視覚的に識別できる構成であることを特徴とする損失可変のソケット型光伝送ユニット。
【請求項５】
請求項４に記載の損失可変のソケット型光伝送ユニットにおいて、
前記各モジュールソケットは機能ごとに色分けした構成であることを特徴とする損失可変のソケット型光伝送ユニット。
【発明の詳細な説明】
【技術分野】
【０００１】
本発明は、光ファイバを伝送する光信号の分岐、終端等を行うための光伝送ユニットに関する。特に、分岐に伴う損失を任意に設定することができる損失可変のソケット型光伝送ユニットに関する。
【背景技術】
【０００２】
図５は、従来の光伝送ユニットの構成例を示す。図において、光伝送ユニット５０は引出し可能な複数のトレイ５１を有し、各トレイには多分岐スプリッタ５２やストレート伝送路５３が配置される。光ファイバ伝送路６１−１から多分岐スプリッタ５２に入力する光信号は複数のドロップケーブル６３に分岐され、光ファイバ伝送路６１−２からストレート伝送路５３に入力する光信号は、次段の光ファイバ伝送路６２に接続される。なお、光ファイバ伝送路６１およびドロップケーブル６３と多分岐スプリッタ５２、あるいは光ファイバ伝送路６１，６２とストレート伝送路５３は、汎用の光コネクタ（図示せず）を用いてそれぞれ結合される。
【０００３】
多分岐スプリッタ５２としては、例えば特許文献１に記載の導波路光スターカプラを用いることができる。この導波路光スターカプラは、Ｙ型光分岐導波路群と、ピッチ変換光導波路群と、出力光導波路アレイから構成され、分配数の拡大と分配率の均一化を同時に実現する構成になっている。なお、分岐数としては２n （ｎは１以上の整数）となり、64分岐や 128分岐以上も可能になっている。
【０００４】
一方、１本の光ファイバ伝送路に距離をおいてそれぞれ１以上の光機器を接続するための光伝送ユニット（分岐比選択型光カプラ）も提案されている（特許文献２）。例えば、図６に示すように、１本の光ファイバ伝送路６１に接続される各段の光伝送ユニット５０でそれぞれ１以上の光伝送装置６４を接続する場合に、それぞれ均一の分岐比とすると、後段の光伝送装置６４になるほど分岐される光パワーが低下する。そこで、各段の光伝送装置６４に分岐される光パワーがほぼ一定になるように、各段で分岐比の異なる光伝送ユニットを用いる。特許文献２では、２入力以上かつ３出力以上のポートをもつユニットにおいて、１組の入出力ポートをループバック接続することにより任意の分岐比を実現するものが開示されている。
【特許文献１】特許２８５９３７５号公報
【特許文献２】特許３２８６２２２号公報
【発明の開示】
【発明が解決しようとする課題】
【０００５】
特許文献１に記載の導波路光スターカプラは、２n 分岐を均一の分岐比で実現することができるが、任意の分岐比（損失比）を実現することはできない。
【０００６】
特許文献２に記載の分岐比選択型光カプラは、２×３の構成で６種類の分岐比をもつ１×２の光カプラを構成する例が示されているが、一般に２n 分岐の分岐比（損失比）を任意にかつ簡単に設定できる構成にはなっていない。
【０００７】
したがって、図６に示すように、１本の光ファイバ伝送路６１に接続される各段の光伝送ユニット５０でそれぞれ２以上の光伝送装置６４を接続する場合に、各段で分岐比の異なる光伝送ユニットを自在に構成することが容易ではなかった。
【０００８】
本発明は、分岐構成の設定を自由に行うことができ、かつ分岐に伴う損失を任意に設定することができる損失可変のソケット型光伝送ユニットを提供することを目的とする。
【課題を解決するための手段】
【０００９】
本発明の損失可変のソケット型光伝送ユニットは、入力する光信号を１対ｍ（ｍは２以上の整数）に分岐するｍ分岐モジュールを備えたｍ分岐モジュールソケットと、入力する光信号を１対１に出力するストレートモジュールを備えたストレートモジュールソケットと、入力する光信号を終端する無反射終端モジュールを備えた無反射終端モジュールソケットとを有し、各モジュールソケットを所定の組み合わせで結合し、１つの入力端に対して所定の損失比に応じた２以上の出力端を構成する。
【００１０】
また、各モジュールソケットの組み合わせで生じた空隙を埋めるダミーソケットを備えてもよい。
【００１１】
また、各モジュールソケット間の接続部を汎用の光コネクタで結合した構成としてもよい。
【００１２】
また、各モジュールソケットは視覚的に識別できる構成としてもよい。さらに、各モジュールソケットは機能ごとに色分けした構成としてもよい。
【発明の効果】
【００１３】
本発明の損失可変のソケット型光伝送ユニットは、ｍ分岐モジュールソケットと、ストレートモジュールソケットと、無反射終端モジュールソケットと、必要に応じてダミーソケットを適宜組み合わせて結合することにより、分岐構成と各分岐の損失値を自由に設定することができる。
【００１４】
また、各モジュールソケットについて色分け等の視覚的に識別できる構成とすることにより、工事および保守者は容易に分岐構成の認識と光損失の計算を行うことができ、サービスの即応性を向上させることができる。
【発明を実施するための最良の形態】
【００１５】
図１は、本発明のソケット型光伝送ユニットの実施形態を示す。
図において、ソケット型光伝送ユニット１０は引出し可能な複数のトレイ１１を有し、各トレイには複数種類のモジュールソケット１２が配置される。モジュールソケット１２には、図２に示すように、１対２に分岐する２分岐モジュールを備えた２分岐モジュールソケット１２ａ、１対１に接続するストレートモジュールを備えたストレートモジュールソケット１２ｂ、無反射終端モジュールを備えた無反射終端モジュールソケット１２ｃ、ダミーソケット１２ｄがある。
【００１６】
ここで、図１に示す例は、トレイ１１の１列目に２分岐モジュールソケット１２ａ−１、２列目に２分岐モジュールソケット１２ａ−２および無反射終端モジュールソケット１２ｃ、３列目に２分岐モジュールソケット１２ａ−３、ストレートモジュールソケット１２ｂおよびダミーソケット１２ｄを配置したものである。
【００１７】
センタ側伝送装置に接続される１本の光ファイバ伝送路２１には２分岐モジュールソケット１２ａ−１が接続され、２分岐された一方の出力端には２分岐モジュールソケット１２ａ−２が接続され、他方の出力端には無反射終端モジュールソケット１２ｃが接続され、終端される。２分岐モジュールソケット１２ａ−２で２分岐された一方の出力端には２分岐モジュールソケット１２ａ−３が接続され、他方の出力端にはストレートモジュールソケット１２ｂが接続される。２分岐モジュールソケット１２ａ−３で２分岐された各出力端にはそれぞれユーザ側伝送装置に対応するドロップケーブル２３が接続される。また、ストレートモジュールソケット１２ｂの出力端には、次段の光ファイバ伝送路２２が接続される。なお、光ファイバ伝送路２１，２２と各モジュールとの接続点、各モジュール間の接続点は、図３に示すように汎用の光コネクタ３１を用いてそれぞれ結合される。
【００１８】
ところで、図１に示すモジュールソケット１２の配置例は一例であり、例えば図４に示すように各種の組み合わせが可能である。ここで、図１に示す無反射終端モジュールソケット１２ｃは拡張用のものであり、例えばドロップケーブル２３を介して接続するユーザ側伝送装置が増えた場合には、図４(1) に示すように２分岐モジュールソケット１２ａやストレートモジュールソケット１２ｂに代えることにより対応することができる。また、図１に示すダミーソケット１２ｄは、他の３種類のモジュールソケットだけでトレイ１１に空きが生じる場合に適宜使用される。
【００１９】
また、本実施形態では複数のモジュールソケットを収納するためのトレイ１１を用いた例を示しているが、トレイ１１の形状を含めて、複数のモジュールソケットを収納できるものであれば、このようなトレイタイプに限定されるものではない。
【００２０】
また、１対２に分岐する２分岐モジュールを備えた２分岐モジュールソケット１２ａは、一般に１対ｍ（ｍは２以上の整数）に分岐するｍ分岐モジュールを備えた多分岐モジュールソケットとしてもよい。また、図１および図４(1) に示す構成は４行３列のソケットモジュール構成となっており、図４(2) に示す構成は３行３列のソケットモジュール構成となっているが、構成規模はこれに限定されるものではない。
【００２１】
また、上記の４種類のモジュールソケットについて、例えばそれぞれ異なる色を割り当てることにより、工事および保守者はこのモジュールソケットの配置を目視するだけで、容易に分岐構成の認識と光損失の計算を行うことができる。例えば図１および図４の配置例の場合には、組み合わせたモジュールソケットをＭ行×Ｎ列のマトリクスとし、Ｍ行の出力端における損失をＮ列における２分岐モジュールソケットの数と損失に応じて算出可能である。
【００２２】
図４(1) の例では、４行３列のソケットモジュール構成であり、１〜３行目の出力端の光損失は２分岐モジュールソケットが３列であるので、各２分岐モジュールの光損失を３ｄＢと仮定すると、
３ｄＢ×３列＝９ｄＢ
となり、４行目の出力端の光損失は２分岐モジュールソケットが２列であるので、
３ｄＢ×２列＝６ｄＢ
となる。
【００２３】
図４(2) の例では、３行３列のソケットモジュール構成であり、１行目の出力端の光損失は２分岐モジュールソケットが３列であるので、各２分岐モジュールの光損失を３ｄＢと仮定すると、
３ｄＢ×３列＝９ｄＢ
となり、２行目の出力端の光損失は２分岐モジュールソケットが２列であるので、
３ｄＢ×２列＝６ｄＢ
となり、３行目の出力端の光損失は２分岐モジュールソケットが１列であるので、
３ｄＢ×１列＝３ｄＢ
となる。
【００２４】
また、モジュールソケットはその種類（機能）に応じた色を割り当てる他に、視覚的に区別できるものであればなんでもよい。また、２分岐モジュール、ストレートモジュール、無反射終端モジュールなどの各モジュールは、ソケットに対して着脱自在に取り付けられる構成としてもよい。
【図面の簡単な説明】
【００２５】
【図１】本発明のソケット型光伝送ユニットの実施形態を示す図。
【図２】モジュールソケットの種類を示す図。
【図３】モジュールソケットの接続例を示す図。
【図４】モジュールソケットの組み合わせ例を示す図。
【図５】従来の光伝送ユニットの構成例を示す図。
【図６】従来のドロップ型伝送システムの構成例を示す図。
【符号の説明】
【００２６】
１０  ソケット型光伝送ユニット
１１  トレイ
１２ａ  ２分岐モジュールソケット
１２ｂ  ストレートモジュールソケット
１２ｃ  無反射終端モジュールソケット
１２ｄ  ダミーソケット
２１，２２  光ファイバ伝送路
２３  ドロップケーブル
３１  光コネクタ
【図１】
2006235318.tif 000003
【図２】
2006235318.tif 000004
【図３】
2006235318.tif 000005
【図４】
2006235318.tif 000006
【図５】
2006235318.tif 000007
【図６】
2006235318.tif 000008